(57)【要約】【課題】  ピクチャ／イメージを処理する各個別のアプリケーションに関わらず、このピクチャ／イメージを分析する。【解決手段】  マザーボード１６が発生したイメージは、グラフィック・カード１８を介して表示モニタ２０の第１ウィンドウ２２に表示される。イメージ捕獲モジュール２４は、このイメージ用のビット・マップ・データを捕獲して、測定用に再フォーマットされたビット・マップ・データを発生する。測定処理モジュール２６は、このビット・マップ・データを分析して、所望項目の測定結果データを発生する。この測定結果データは、表示モジュール２８、マザーボード１６、グラフィック・カード１８を介して、表示モニタの第２ウィンドウ３０に表示される。【選択図】図１
2004234653.tif 000002
【特許請求の範囲】
【請求項１】
第１イメージ・アプリケーションにより表示モニタの第１ウィンドウ内に表示されるイメージ用のビット・マップ・データを捕獲する第１手段と、
上記ビット・マップ・データを分析し、所望項目の測定結果データを発生する第２手段と、
上記表示モニタの第２ウィンドウ内に上記測定結果データを表示する第３手段と
を具えたピクチャ・アナライザ。
【請求項２】
上記第２ウィンドウは、上記第２手段との対話式制御機能を有し、上記測定結果データを発生する際に上記第２手段が用いる測定アルゴリズム及びパラメータを選択することを特徴とする請求項１のピクチャ・アナライザ。
【請求項３】
表示モニタの第１ウィンドウ内に表示されるイメージを分析する方法であって、
上記イメージ用のビット・マップ・データを補足し、
所望測定アルゴリズムに応じて上記ビット・マップ・データを分析して、測定結果を発生し、
上記表示モニタの第２ウィンドウ内に上記測定結果を表示する
ことを特徴とするイメージ分析方法。
【請求項４】
上記第２ウィンドウ内で上記分析ステップ用の対話式制御を行うステップを更に具えたことを特徴とする請求項３のイメージ分析方法。
【発明の詳細な説明】
【技術分野】
【０００１】
本発明は、一般に、ビデオ・イメージの分析に関し、特に、ウィンドウ・インタフェースによるピクチャ・アナライザ及びイメージ分析方法に関する。
【背景技術】
【０００２】
静止又は動画のビデオ電子画像（ピクチャ／イメージ）を作成する分野において、一般的にピクチャ・アナライザ（分析器）を用いる。なお、本願では、「ビデオ」、「ピクチャ」及び「イメージ」を同様な意味で用い、共に画像を表す。ビデオ画像の場合、波形モニタ、ベクトルスコープ、ガマット表示器などを用いる。静止画像の場合、カラー・ヒストグラムをしばしば用いて、イメージにおけるカラー分布を考察する。次に、ピクチャ・アナライザなどを用いて得た情報をカラー補正に用いたり、イメージ・パラメータが規定レンジ内であるかの確認を行う。ハードウェアによるアナライザを用いる場合、ピクチャ・アナライザへの入力は、一般に、同軸ケーブルを介して供給される。ソフトウェアによるアナライザ（ソフトウェア・アナライザ）を用いる場合、イメージが蓄積されたコンピュータ・ファイルを読出すか、又は、ビデオ編集用のアプリケーションを用いて入力データを求め、コンピュータ内の内部リンクを介してアナライザにイメージ情報を供給する。ソフトウェア・アナライザの場合、分析アプリケーションは、ビデオがエンコードされているファイル・フォーマットをデコードする必要があるか、又は、適当なインタフェースで編集アプリケーションを実現してデータをアナライザに供給する必要がある。
【非特許文献１】本願出願人の発行した「Test, Measurement and Monitoring Products Catalog」の２００１年版の６５２〜６５４ページのＶＭ７００Ｔ型測定セットの説明
【０００３】
上述によるピクチャ・アナライザ及びイメージ分析方法の問題は、分析用のソフトウェアが、分析する画像の形式に応じて各個別のアプリケーションに適合しなければならないことである。
【発明の開示】
【発明が解決しようとする課題】
【０００４】
そこで、幅広い範囲の電子画像を分析できるピクチャ・アナライザ及びイメージ分析方法が望まれている。
【課題を解決するための手段】
【０００５】
本発明のピクチャ・アナライザは、第１イメージ・アプリケーションにより表示モニタ（２０）の第１ウィンドウ（２２）内に表示されるイメージ用のビット・マップ・データを捕獲する第１手段（２４）と；ビット・マップ・データを分析し、所望項目の測定結果データを発生する第２手段（２６）と；表示モニタの第２ウィンドウ（３０）内に測定結果データを表示する第３手段（２８）とを具えている。
また、本発明は、表示モニタ（２０）の第１ウィンドウ（２２）内に表示されるイメージを分析する方法であって；イメージ用のビット・マップ・データを補足し（２４）；所望測定アルゴリズムに応じてビット・マップ・データを分析して、測定結果を発生し（２６）；表示モニタの第２ウィンドウ（３０）内に測定結果を表示する（２８）ことを特徴とする。
【発明の効果】
【０００６】
本発明は、他のビデオ・ソフトウェア・アプリケーションに用いるのと同じコンピュータ上で分析ソフトウェアが動作できるウィンドウ用インタフェースを有するピクチャ・アナライザを提供する。ビデオのこれらイメージ・アプリケーションは、分析すべきイメージを、表示モニタ上の第１ウィンドウの一部として供給する。ピクチャ・アナライザは、イメージ用のビット・マップ・データを捕捉し、所望の測定アルゴリズムに応じてこのビット・マップ・データを処理して、所望項目の測定結果を発生する。この測定結果は、表示モニタの第２ウィンドウ内に表示される。また、この第２ウィンドウは、ピクチャ・アナライザ用の対話式制御機能も具えているので、これがインタフェースとなり、操作者は、ピクチャ・アナライザと対話をして、所望の測定アルゴリズム及び関連したパラメータを選択できる。
【０００７】
本発明の目的、利点、その他の新規な特徴は、添付図を参照した以下の説明から更に明らかになろう。
【発明を実施するための最良の形態】
【０００８】
図１は、ウィンドウ用インタフェースを有する本発明によるピクチャ・アナライザのブロック図であり、パーソナル・コンピュータ（ＰＣ）１２の如き基本的なハードウェア構成をソフトウェアによるピクチャ・アナライザ（ソフトウェア・ピクチャ・アナライザ）１４と共に示す。従来のマザーボード１６は、ホスト・コンピュータ（μＰ）、メモリなどを含んでおり、テストされるビデオ／イメージ（ビデオ又はイメージ）データを発生する。このビデオ／イメージ・データは、第１イメージ・アプリケーションによって、グラフィック・カード１８を介して、表示モニタ２０の第１ウィンドウ２２内に表示できる。第１ウィンドウ２２内のビデオ／イメージ・データ用のビット・マップ・データは、ソフトウェア・ピクチャ・アナライザ１４内のイメージ捕獲モジュール２４に供給される。なお、このソフトウェア・ピクチャ・アナライザ１４は、ホスト・コンピュータ上で動作するものである。
【０００９】
イメージ捕獲モジュール２４は、ビット・マップ・データを再フォーマットして、波形、ベクトル、カラー・ガマットなどの種々のビデオ測定アルゴリズムと両立できるようにする。再フォーマットしたビット・マップ・データは、測定処理モジュール２６に入力される。この測定処理モジュール２６は、手動で選択されたか、又は、規定された測定機器の設定に応じて自動的に選択された適切なビデオ測定アルゴリズムを適用して、所望項目の測定（分析）結果データを発生する。ソフトウェアによる測定アルゴリズムは、再フォーマットされたビット・マップ・データを業界標準に従ってテストし、ビデオ／イメージ・データの量的及び質的な測定結果を発生する。この測定結果データをテスト結果表示モジュール２８に供給して、波形、グラフ、ベクトル・ダイアグラム、アラーム・アイコン、エラー一覧表や、その他の形式の視覚的指示に変換する。この結果の表示データをホスト・コンピュータ（マザーボード１６）に戻す。ホスト・コンピュータは、表示データを表示モニタ２０の第２ウィンドウ３０に表示するようにフォーマットし、グラフィック・カード１８を介して第２ウィンドウ３０に表示する。
【００１０】
図２は、表示モニタ２０の拡大図である。第１ウィンドウ２２では、第１イメージ・アプリケーションであるビデオ編集アプリケーションが動作している。ビデオ編集アプリケーションの一部として、内部イメージ・ウィンドウ３２が見えている。この内部イメージ・ウィンドウ３２内のイメージ用のビット・マップ・データは、イメージ分析のために、ソフトウェア・ピクチャ・アナライザ１４内のイメージ捕獲モジュール２４により捕獲され、測定処理モジュール２６で測定（分析）された分析結果を、上述のように第２ウィンドウ３０に表示する。第２ウィンドウ３０は、図示のように第１ウィンドウ２２を覆ってもよいし、この逆でもよい。第２ウィンドウ３０内に示される測定結果表示データには、測定イメージ（分析結果の画像）と共に制御機能イメージ（制御用アイコン）が含まれている。この制御機能は、対話式で、標準コンピュータ・インタフェース技術を用いてアクセス可能であり、測定アルゴリズム及びパラメータを選択できる。例えば、制御機能により、第２ウィンドウ３０の右端に下から順に示されたアロウヘッド測定、ダイアモンド測定、ベクトルスコープ測定、波形測定、イメージ表示測定の中から測定項目を選択できるが、図示の状態では、波形測定が、表示用に現在選択された測定アルゴリズムである。なお、これら測定項目は当業者に周知であるので、その説明を省略する。
【産業上の利用可能性】
【００１１】
よって、本発明によるピクチャ・アナライザによれば、ホスト・コンピュータ（プロセッサ）は、ビデオ／イメージ・データ処理又は表示用のソフトウェア・アプリケーションが動作しているウィンドウ・インタフェース内に含まれるビデオ／イメージ・データの測定（分析）を行い、その測定結果を別のウィンドウ・インタフェースにより表示できる。
【図面の簡単な説明】
【００１２】
【図１】本発明によるピクチャ・アナライザのブロック図である。
【図２】本発明によるピクチャ・アナライザを構成するコンピュータによる表示の平面図である。
【符号の説明】
【００１３】
１２  ハードウェア
１４  ソフトウェア・ピクチャ・アナライザ
１６  マザーボード
１８  グラフィック・カード
２０  表示モニタ
２２  第１ウィンドウ
２４  イメージ捕獲モジュール
２６  測定処理モジュール
２８  テスト結果表示モジュール
３０  第２ウィンドウ
【図１】
2004234653.tif 000003
【図２】
2004234653.tif 000004